(57)【要約】  コンピューターによって実行される方法であって、ケアの対象者に関連するセンサーによる検出出力を取得するステップと、前記検出出力に応じた質問を出力するステップと、前記質問に対する回答を取得するステップとを備える、ケアシステムの管理方法が提供される。
2020075674.tif 000002
【特許請求の範囲】
【請求項１】
コンピューターによって実行される方法であって、
ケアの対象者に関連するセンサーによる検出出力を取得するステップと、
前記検出出力に応じた質問を出力するステップと、
前記質問に対する回答を取得するステップとを備える、ケアシステムの管理方法。
【請求項２】
前記回答の内容に基づいて、前記対象者へのかけつけのための通知の要否を判断するステップをさらに備える、請求項１に記載のケアシステムの管理方法。
【請求項３】
前記通知の内容は、前記検出出力と前記回答との組合せに従って決定される、請求項２に記載のケアシステムの管理方法。
【請求項４】
前記センサーは、前記対象者のバイタル信号を検出するバイタルセンサー、前記対象者の動きを検出するためのセンサー、および、前記対象者の居室の環境を検出するためのセンサーの中の少なくとも１つを含む、請求項１〜請求項３のいずれか１項に記載のケアシステムの管理方法。
【請求項５】
前記回答の内容に基づいて、前記センサーの感度を変更するための制御を実行するステップをさらに備える、請求項１〜請求項４のいずれか１項に記載のケアシステムの管理方法。
【請求項６】
前記回答の内容に基づいて、前記質問が出力されるための前記センサーの検出出力についての条件を変更するステップをさらに備える、請求項１〜請求項５のいずれか１項に記載のケアシステムの管理方法。
【請求項７】
前記対象者の居室において、前記対象者にケアを提供する者の有無を検出するステップをさらに備え、
前記質問を出力するステップは、前記対象者にケアを提供する者が前記居室において不在であることを条件として、前記質問を出力することを含む、請求項１〜請求項６のいずれか１項に記載のケアシステムの管理方法。
【請求項８】
コンピューターに、請求項１〜請求項７のいずれか１項に記載の管理方法を実施させるための、プログラム。
【請求項９】
１以上のプロセッサーと、
前記１以上のプロセッサーに実行されることによって、前記１以上のプロセッサーに請求項１〜請求項７のいずれか１項に記載の管理方法を実施させるためのプログラムを格納するように構成されたメモリーと、を備える、ケアシステムの管理装置。
【発明の詳細な説明】
【技術分野】
【０００１】
本開示は、ケアの提供の対象者に関する情報の収集に関する。
【背景技術】
【０００２】
従来、病院や介護施設等において利用される、対象者へのケアの提供システムでは、センサー等を用いて対象者の状態を検出し、当該検出の結果に基づいて、スタッフを派遣する等、提供するケアの種類を決定していた。このようなケアを提供するシステムについて、種々提案がなされている。【０００３】
たとえば、特開２０１３−２１１６３０号公報（特許文献１）は、居室内の異常の有無を表す情報、応答の有無を表す情報、および、居室への訪問客の情報を、定期的にネットワークを介して提供するインターホン装置を開示している。【０００４】
特許第５７２２６５９号公報（特許文献２）は、赤外線センサーを用いた離床通知装置を開示する。当該離床通知装置は、生体モニターの検出出力等に基づいて、対象者の離床を検出する。【０００５】
特開２０１８−４１１３４号公報（特許文献３）は、ケアを受ける人から離れた場所にいる家族などのスケジュールをインプットとして、声掛け内容を自動生成するシステムを開示する。
【先行技術文献】
【特許文献】
【０００６】
【特許文献１】特開２０１３−２１１６３０号公報
【特許文献２】特許第５７２２６５９号公報
【特許文献３】特開２０１８−４１１３４号公報
【発明の概要】
【発明が解決しようとする課題】
【０００７】
従来のケアシステムによって提供されるケアの種類やケアの提供の有無がセンサーの検出出力のみに基づいて決定された場合、本来ケアの提供が必要な場合にケアが提供できない事態が生じたり、ケアの提供が不要であったのに過剰にケアが提供された事態が生じたりする、という課題があった。【０００８】
たとえば、センサーの検出出力によればケアの提供が必要ではないと判断された局面であっても、その直後に、スタッフに多大な負荷を必要とさせるケアが必要な事象が生じたような場合には、上記局面においてケアが提供されていればトータルでのスタッフに対する負荷は抑えることができた。たとえば、対象者の行動において排泄の兆しが生じた場合であって、センサーの検出出力によっては当該行動を排泄の兆しとは断定できなかった場合を想定する。このような行動が検出された時点で、スタッフが排泄の介助というケアを提供していれば、当該介助に多少の余計な時間を要したとしても、当該介助が提供されなかった場合に想定される失禁等の事象が生じることが回避され得る。【０００９】
また、センサーの検出出力によればケアの提供が必要であると判断された局面であっても、センサーは対象者の一時的な状態を捉えただけで、実際には、ケアの提供は必要ではなかった場合もあり得る。たとえば、テレビを見ていた対象者が番組の内容によって興奮したことによって当該対象者の心拍数が一時的に上昇した場合であっても、バイタルセンサーの検出出力によって、スタッフに、当該対象者へのかけつけの指示が通知され得る。このような場合、スタッフは、無駄な通知により、負荷を課せられる。【００１０】
本開示は、係る実情に鑑み考え出されたものであり、その目的は、適切なケアの提供のためにより正確に対象者の状態を認識するための技術を提供することである。
【課題を解決するための手段】
【００１１】
本開示のある局面に従うと、コンピューターによって実行される方法であって、ケアの対象者に関連するセンサーによる検出出力を取得するステップと、検出出力に応じた質問を出力するステップと、質問に対する回答を取得するステップとを備える、ケアシステムの管理方法が提供される。【００１２】
管理方法は、回答の内容に基づいて、対象者へのかけつけのための通知の要否を判断するステップをさらに備えてきてもよい。【００１３】
通知の内容は、検出出力と回答との組合せに従って決定されてもよい。
センサーは、対象者のバイタル信号を検出するバイタルセンサー、対象者の動きを検出するためのセンサー、および、対象者の居室の環境を検出するためのセンサーの中の少なくとも１つを含んでいてもよい。【００１４】
管理方法は、回答の内容に基づいて、センサーの感度を変更するための制御を実行するステップをさらに備えていてもよい。【００１５】
管理方法は、回答の内容に基づいて、質問が出力されるためのセンサーの検出出力についての条件を変更するステップをさらに備えていてもよい。【００１６】
管理方法は、対象者の居室において、対象者にケアを提供する者の有無を検出するステップをさらに備えていてもよい。質問を出力するステップは、対象者にケアを提供する者が居室において不在であることを条件として、質問を出力することを含んでいてもよい。【００１７】
本開示の他の局面に従うと、コンピューターに、上記の管理方法を実施させるための、プログラムが提供される。【００１８】
本開示のさらに他の局面に従うと、１以上のプロセッサーと、１以上のプロセッサーに実行されることによって、１以上のプロセッサーに上記管理方法を実施させるためのプログラムを格納するように構成されたメモリーと、を備える、ケアシステムの管理装置が提供される。
【発明の効果】
【００１９】
本開示によれば、コンピューターは、ケアの対象者に関連するセンサーによる検出出力を取得すると、当該検出出力に応じた質問を出力し、当該質問に対する回答を取得する。これにより、コンピューターは、入居者（ケアの対象者）の状態をより正確に認識するための情報を取得できる。
【図面の簡単な説明】
【００２０】
【図１】見守りシステムの構成の一例を示す図である。
【図２】居室９００におけるセンサーの検出範囲の一例を説明するための図である。
【図３】見守りシステムのセンサーボックス１００、管理サーバー２００、および、携帯端末３００のハードウェア構成を示す図である。
【図４】クラウドサーバー４００のハードウェア構成を示す図である。
【図５】対話端末７００のハードウェア構成を示す図である。
【図６】見守りシステムの利用態様の一例を示す図である。
【図７】見守りシステムにおいて出力される質問の一例を示す図である。
【図８】見守りシステムにおいて出力される質問の他の例を示す図である。
【図９】見守りシステム内の各要素の機能ブロック図である。
【図１０】検出出力と質問の内容とを関連付ける情報の一例（質問データベース）を示す図である。
【図１１】対話端末７００からの質問の出力に関して管理サーバー２００によって実行される処理のフローチャートである。
【図１２】カメラ１０５の撮像画像からの入居者の位置情報を取得する態様の具体例を説明する図である。
【図１３】カメラ１０５の撮像画像を用いて入居者の行動情報を取得する態様の具体例を説明する図である。
【発明を実施するための形態】
【００２１】
以下に、図面を参照しつつ、見守りシステムの一実施の形態について説明する。以下の説明では、同一の部品および構成要素には同一の符号を付してある。それらの名称および機能も同じである。したがって、これらの説明は繰り返さない。
【００２２】
［見守りシステムの構成］
図１は、見守りシステムの構成の一例を示す図である。見守り対象の一例として、施設の居室領域ＲＭに設けられた各居室内の入居者が採用される。図１の見守りシステムでは、居室領域ＲＭに、居室９００Ａ，９００Ｂが設けられている。居室９００Ａは、入居者８００Ａに割当てられている。居室９００Ｂは、入居者８００Ｂに割当てられている。図１の例では、見守りシステムに含まれる居室の数は２であるが、当該数はこれに限定されない。
【００２３】
見守りシステムでは、居室９００Ａに設置されたセンサーボックス１００Ａと、居室９００Ｂに設置されたセンサーボックス１００Ｂと、管理センターＳＴに設置された管理サーバー２００と、アクセスポイントＡＰとが、ネットワークＮＴを介して接続される。
【００２４】
見守りシステムでは、スタッフＮＡが携帯する携帯端末３００Ａ、および、スタッフＮＢが携帯する携帯端末３００Ｂは、アクセスポイントＡＰを介してネットワークＮＴに接続される。さらに、センサーボックス１００Ａ，１００Ｂ、管理サーバー２００、および、アクセスポイントＡＰは、ネットワークＮＴを介して、クラウドサーバー４００と通信可能である。
【００２５】
さらに、見守りシステムでは、居室９００Ａ，９００Ｂのそれぞれに設置された対話端末７００Ａ，７００Ｂが、ネットワークＮＴを介して、見守りシステム内の他の装置と接続される。対話端末７００Ａ，７００Ｂのそれぞれは、たとえば、図６において「対話端末７００」として示されるように、くまのぬいぐるみの外観を有するロボットである。ただし、対話端末７００の外観は、いかなるものであってもよく、目や鼻に対応するような構成を持たない筒状の筐体であってもよい。
【００２６】
また、対話端末７００Ａ，７００Ｂは、入居者と対話するキャラクタをディスプレイに表示するものであってもよいし、入居者との対話のための情報（たとえば、質問のメッセージ）をディスプレイに表示するものまたはスピーカーから出力するものであってもよい。
【００２７】
居室９００Ａは、設備として、ベッド９０１Ａ、トイレ９０２Ａ、および、家具９０３Ａを含む。居室９００Ａのドアには、当該ドアの開閉を検出するドアセンサー５１０Ａが設置されている。トイレ９０２Ａのドアには、トイレ９０２Ａの開閉を検出するトイレセンサー５２０Ａが設置されている。ベッド９０１Ａには、入居者８００Ａの排泄情報を取得する臭いセンサー５３０Ａが設置されている。入居者８００Ａは、当該入居者８００Ａのバイタル情報を検出するバイタルセンサー５４０Ａを装着している。検出されるバイタル情報の一例は、入居者の体温である。他の例は、入居者の呼吸である。さらに他の例は、入居者の心拍数である。さらに他の例は、これらの情報の中の２以上の種類の情報である。居室９００Ａでは、入居者８００Ａはケアコール子機５００Ａを操作することができる。
【００２８】
本明細書では、複数のセンサーボックス１００Ａ，１００Ｂに共通する事項を言及する場合には、センサーボックス１００Ａ，１００Ｂを総称する用語「センサーボックス１００」が利用される。同様に、入居者８００Ａ，８００Ｂ、居室９００Ａ，９００Ｂ、ベッド９０１Ａ，９０１Ｂ、トイレ９０２Ａ，９０２Ｂ、家具９０３Ａ，９０３Ｂ、ケアコール子機５００Ａ，５００Ｂ、ドアセンサー５１０Ａ，５１０Ｂ、トイレセンサー５２０Ａ，５２０Ｂ、臭いセンサー５３０Ａ，５３０Ｂ、バイタルセンサー５４０Ａ，５４０Ｂのそれぞれについても同様に、用語「入居者８００」、「居室９００」、「トイレ９０２」、「家具９０３」、「ケアコール子機５００」、「ドアセンサー５１０」、「トイレセンサー５２０」、「臭いセンサー５３０」、「バイタルセンサー５４０」が利用される。
【００２９】
センサーボックス１００Ａは、居室９００Ａ内の物体の挙動を検出するためのセンサーを内蔵する。センサーの一例は、物体の動作を検出するためのドップラーセンサーである。他の例は、カメラである。さらに他の例は、ケアコール子機５００、ドアセンサー５１０、トイレセンサー５２０、臭いセンサー５３０、または、バイタルセンサー５４０である。センサーボックス１００Ａは、センサーとして、これらのセンサー中の少なくとも一つを含む。
【００３０】
図２は、居室９００におけるセンサーの検出範囲の一例を説明するための図である。図２の例では、センサーボックス１００は、居室９００の天井ＣＬに設置される。
【００３１】
範囲ＡＲは、センサーの検出範囲を概略的に表わす。センサーがドップラーセンサーである場合、当該ドップラーセンサーは、範囲ＡＲ内で生じた挙動を検出する。センサーがカメラである場合、当該カメラは、範囲ＡＲ内の画像を撮影する。
【００３２】
図１に戻って、管理センターＳＴに設置された管理サーバー２００は、ディスプレイ２０６および入力デバイス２０９に接続される。入力デバイス２０９は、たとえばキーボードである。
【００３３】
図１の見守りシステムでは、アクセスポイントＡＰを介してネットワークＮＴに接続する携帯端末の数は２（携帯端末３００Ａ，３００Ｂ）とされているが、当該数はこれに限定されない。本明細書では、携帯端末３００Ａ，３００Ｂに共通する事項を言及する場合には、携帯端末３００Ａ，３００Ｂを総称する用語「携帯端末３００」が利用される。
【００３４】
また、対話端末７００Ａ，７００Ｂを総称する用語「対話端末７００」が利用される。
図１の見守りシステムにおける各要素間の通信は、有線であってもよいし、無線であってもよい。
【００３５】
なお、センサーボックス１００は、カメラ１０５および／またはドップラーセンサー１０６を必ずしも備えていなくてもよい。カメラ１０５および／またはドップラーセンサー１０６は、ドアセンサー５１０等と同様に、センサーボックス１００外に設けられてもよい。制御装置１０１は、センサーボックス１００外に設けられたカメラ１０５および／またはドップラーセンサー１０６の検出出力を、所与のインターフェイスを介して取得してもよい。
【００３６】
バイタルセンサー５４０は、必ずしも入居者に装着されていなくてもよい。一例では、バイタルセンサー５４０は、入居者から離間して設置された赤外線センサー等によって実現され、入居者の温度を検出することによってバイタル情報（体温）を出力する。他の例では、バイタルセンサー５４０は、ドップラーセンサー１０６によって実現される。ドップラーセンサー１０６は、入居者に向けてマイクロ波を照射する。当該マイクロ波は、入居者の心臓の拍動による胸部の僅かな変位によってドップラー効果を起こし、その周波数を変動させる。ドップラーセンサー１０６は、当該周波数の変動に基づいて、入居者の心拍を検出する。さらに他の例では、ドップラーセンサー１０６は、入居者の呼吸を検出する。
【００３７】
一例では、対話端末７００は、居室９００内に設置され、音声で入居者と対話する。より具体的には、対話端末７００は、入居者に提供されたケアに関する質問を音声で出力する。入居者が、当該質問に対して音声で回答すると、対話端末７００は、当該回答の音声を取得する。対話端末７００は、管理サーバー２００からの指示に従って、質問を出力してもよい。対話端末７００は、取得した音声を管理サーバー２００に転送してもよい。
【００３８】
対話端末７００と入居者との対話は、音声によるものに限定されず、視覚的な情報を用いたもの（たとえば、質問文の表示）であってもよいし、振動を用いたもの（たとえば、ケアの感想の入力を促すための振動）であってもよいし、これらの態様の組み合わせであってもよい。より具体的には、回答として入力される情報は、音声に限定されず、ボタンやキーボード等の操作による電子的な情報であってもよいし、カメラまたは各種の人感センサー等の機器によって捉えられる視覚的情報（手話、ジェスチャー等）であってもよいし、これらの組み合わせであってもよい。
【００３９】
［見守りシステムの各要素の構成］
図３は、見守りシステムのセンサーボックス１００、管理サーバー２００、および、携帯端末３００のハードウェア構成を示す図である。図４は、クラウドサーバー４００のハードウェア構成を示す図である。図５は、対話端末７００のハードウェア構成を示す図である。以下、図３〜図５を参照して、見守りシステムにおける各装置の構成の一例を説明する。
【００４０】
（センサーボックス１００）
図３に示されるように、センサーボックス１００は、制御装置１０１と、ＲＯＭ（Read  Only  Memory）１０２と、ＲＡＭ（Random  Access  Memory）１０３と、通信インターフェイス１０４と、カメラ１０５と、ドップラーセンサー１０６と、無線通信装置１０７と、記憶装置１２０とを備える。
【００４１】
制御装置１０１は、センサーボックス１００を制御する。制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはこれらの組み合わせなどによって構成される。
【００４２】
通信インターフェイス１０４には、アンテナ（図示しない）などが接続される。センサーボックス１００は、当該アンテナを介して、外部の通信機器との間でデータをやり取りする。外部の通信機器は、たとえば、管理サーバー２００、携帯端末３００、アクセスポイントＡＰ、クラウドサーバー４００、その他の通信端末などを含む。
【００４３】
カメラ１０５は、一実現例では、近赤外カメラである。近赤外カメラは、近赤外光を投光するＩＲ（Infrared）投光器を含む。近赤外カメラが用いられることにより、夜間でも居室９００の内部を表わす画像が撮影され得る。他の実現例では、カメラ１０５は、可視光のみを受光する監視カメラである。さらに他の実現例では、カメラ１０５として、３Ｄセンサやサーモグラフィーカメラが用いられてもよい。センサーボックス１００およびカメラ１０５は、一体的に構成されてもよいし、別体で構成されてもよい。
【００４４】
ドップラーセンサー１０６は、たとえばマイクロ波ドップラーセンサーであり、電波を放射及び受信して、居室９００内の物体の挙動（動作）を検出する。これにより、居室９００内の入居者８００の生体情報が検出され得る。一例では、ドップラーセンサー１０６は、２４ＧＨｚ帯のマイクロ波を各居室９００のベッド９０１に向けて放射し、入居者８００で反射した反射波を受信する。反射波は、入居者８００の動作により、ドップラーシフトしている。ドップラーセンサー１０６は、当該反射波から、入居者８００の呼吸状態や心拍数を検出し得る。
【００４５】
無線通信装置１０７は、ケアコール子機５００、ドアセンサー５１０、トイレセンサー５２０、臭いセンサー５３０、および、バイタルセンサー５４０からの信号を受信し、当該信号を制御装置１０１へ送信する。たとえば、ケアコール子機５００は、ケアコールボタン５０１を備え、当該ケアコールボタン５０１を操作されると、当該操作があったことを示す信号を無線通信装置１０７へ送信する。ドアセンサー５１０、トイレセンサー５２０、臭いセンサー５３０、および、バイタルセンサー５４０のそれぞれは、それぞれの検出出力を無線通信装置１０７へ送信する。
【００４６】
記憶装置１２０は、たとえば、ハードディスクや外付けの記憶装置などの記録媒体である。記憶装置１２０は、制御装置１０１によって実行されるプログラム、および、当該プログラムの実行に利用される各種のデータを格納する。各種のデータは、入居者８００の行動情報を含んでいてもよい。
【００４７】
上記のプログラムおよびデータのうち少なくとも一方は、制御装置１０１がアクセス可能な記憶装置であれば、記憶装置１２０以外の記憶装置（たとえば、制御装置１０１の記憶領域（たとえば、キャッシュメモリーなど）、ＲＯＭ１０２、ＲＡＭ１０３、外部機器（たとえば、管理サーバー２００や携帯端末３００、など）に格納されていてもよい。
【００４８】
（行動情報）
上記の行動情報について、説明する。行動情報は、たとえば入居者８００が所定の行動を実行したことを表わす情報である。一例では、所定の行動は、入居者８００が起きたことを表わす「起床」、入居者８００が寝具から離れたことを表わす「離床」、入居者８００が寝具から落ちたことを表わす「転落」、および、入居者８００が倒れたことを表わす「転倒」の４つの行動を含む。
【００４９】
一実施の形態では、制御装置１０１が、各居室９００に設置されたカメラ１０５が撮像した画像に基づいて、各居室９００に関連付けられた入居者８００の行動情報を生成する。制御装置１０１は、たとえば、上記画像から入居者８００の頭部を検出し、この検出した入居者８００の頭部における大きさの時間変化に基づいて、入居者８００の「起床」、「離床」、「転倒」および「転落」を検出する。以下、行動情報の生成の一具体例を、より詳細に説明する。
【００５０】
まず、記憶装置１２０に、居室９００におけるベッド９０１の所在領域、第１閾値Ｔｈ１、第２閾値Ｔｈ２、および、第３閾値Ｔｈ３が格納される。第１閾値Ｔｈ１は、ベッド９０１の所在領域内において、横臥姿勢にあるときと座位姿勢にあるときとの間で入居者の頭部の大きさを識別する。第２閾値Ｔｈ２は、ベッド９０１の所在領域を除く居室９００内において、入居者の頭部の大きさに基づいて、当該入居者が立位姿勢にあるか否かを識別する。第３閾値Ｔｈ３は、ベッド９０１の所在領域を除く居室ＲＭ内において、入居者の頭部の大きさに基づいて、当該入居者が横臥姿勢にあるか否かを識別する。
【００５１】
制御装置１０１は、対象画像から、例えば背景差分法やフレーム差分法によって、入居者８００の人物の領域として、動体領域を抽出する。制御装置１０１は、さらに、当該抽出した動体領域から、例えば円形や楕円形のハフ変換によって、予め用意された頭部のモデルを用いたパターンマッチングによって、頭部検出用に学習したニューラルネットワークによって導出された閾値を用いて、入居者８００の頭部領域を抽出する。制御装置１０１は、当該抽出された頭部の位置および大きさから、「起床」、「離床」、「転倒」および「転落」を検出する。
【００５２】
制御装置１０１は、上記のように抽出された頭部の位置がベッド９０１の所在領域内にあり、かつ、上記のように抽出された頭部の大きさが第１閾値Ｔｈ１を用いることによって横臥姿勢の大きさから座位姿勢の大きさへと変化したことを検出した場合に、行動「起床」が発生したことを決定してもよい。
【００５３】
制御装置１０１は、上記のように抽出された頭部の位置がベッド９０１の所在領域内からベッド９０１の所在領域外へ移動した場合であって、上記のように抽出された頭部の大きさが第２閾値Ｔｈ２を用いることによって或る大きさから立位姿勢の大きさへと変化したことを検出した場合に、行動「離床」が発生したことを決定してもよい。
【００５４】
制御装置１０１は、上記のように抽出された頭部の位置がベッド９０１の所在領域内からベッド９０１の所在領域外へ移動した場合であって、上記のように抽出された頭部の大きさが第３閾値Ｔｈ３を用いることによって或る大きさから横臥姿勢の大きさへ時間変化した場合には、行動「転落」が発生したと決定してもよい。
【００５５】
制御装置１０１は、上記のように抽出された頭部の位置がベッド９０１の所在領域を除く居室９００内に位置し、かつ、抽出された頭部の大きさが第３閾値Ｔｈ３を用いることによって或る大きさから横臥姿勢の大きさへと変化したことを検出した場合には、行動「転倒」が発生したと決定してもよい。
【００５６】
以上説明されたように、一具体例では、センサーボックス１００の制御装置１０１が、入居者８００の行動情報を生成する。なお、見守りシステムでは、居室９００内の画像を用いて、他の要素が入居者８００の行動情報を生成してもよい。
【００５７】
（管理サーバー２００）
図３に示されるように、管理サーバー２００は、制御装置２０１と、ＲＯＭ２０２と、ＲＡＭ２０３と、通信インターフェイス２０４と、表示インターフェイス２０５と、操作インターフェイス２０７と、記憶装置２２０とを含む。
【００５８】
制御装置２０１は、管理サーバー２００を制御する。制御装置２０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはこれらの組み合わせなどによって構成される。
【００５９】
通信インターフェイス２０４には、アンテナ（図示しない）などが接続される。管理サーバー２００は、当該アンテナを介して、外部の通信機器との間でデータをやり取りする。外部の通信機器は、たとえば、センサーボックス１００を含む。
【００６０】
表示インターフェイス２０５は、ディスプレイ２０６と接続され、制御装置２０１などからの指令に従って、ディスプレイ２０６に対して、画像を表示するための画像信号を送出する。
【００６１】
操作インターフェイス２０７は、たとえば、ＵＳＢ（Universal  Serial  Bus）端子であり、入力デバイス２０９に接続される。操作インターフェイス２０７は、入力デバイス２０９からのユーザー操作を示す信号を受ける。入力デバイス２０９、たとえば、マウス、キーボード、タッチパネル、またはユーザーの入力操作を受け付けることが可能なその他の装置である。
【００６２】
記憶装置２２０は、たとえば、ハードディスクや外付けの記憶装置などの記録媒体である。一実現例では、記憶装置２２０は、制御装置２０１によって実行されるプログラムを格納するが、当該プログラムは、制御装置２０１がアクセス可能な他の記憶装置に格納されていてもよい。
【００６３】
（携帯端末３００）
図３に示されるように、携帯端末３００は、制御装置３０１と、ＲＡＭ３０３と、通信インターフェイス３０４と、ディスプレイ３０５と、入力デバイス３０６と、内部メモリー３２０とを含む。
【００６４】
制御装置３０１は、携帯端末３００を制御する。制御装置３０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００６５】
通信インターフェイス３０４には、アンテナ（図示しない）などが接続される。携帯端末３００は、当該アンテナおよびアクセスポイントＡＰ（図１）を介して、外部の通信機器との間でデータをやり取りする。外部の通信機器は、たとえば、センサーボックス１００、管理サーバー２００などを含む。
【００６６】
ディスプレイ３０５は、たとえば有機ＥＬ（Electro  Luminescence）ディスプレイによって実現される。入力デバイス３０６は、たとえばディスプレイ３０５に重ねられたタッチセンサーによって実現される。当該タッチセンサーは、携帯端末３００に対する各種操作をタッチ操作で受け付け、当該操作の内容を制御装置３０１へ出力する。
【００６７】
内部メモリー３２０は、たとえば、ｅＭＭＣ（Embedded  MultiMediaCard）などの記録媒体である。一例として、内部メモリー３２０は、制御装置３０１によって実行されるプログラムを格納するが、当該プログラムは、制御装置３０１がアクセス可能な記憶装置であれば、内部メモリー３２０以外の記憶装置に格納されていてもよい。
【００６８】
（クラウドサーバー４００）
図４に示されるように、クラウドサーバー４００は、制御装置４０１と、ＲＯＭ４０２と、ＲＡＭ４０３と、通信インターフェイス４０４と、記憶装置４２０とを含む。
【００６９】
制御装置４０１は、クラウドサーバー４００を制御する。制御装置４０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはこれらの組み合わせなどによって構成される。
【００７０】
通信インターフェイス４０４には、アンテナ（図示しない）などが接続される。クラウドサーバー４００は、当該アンテナを介して、外部の通信機器との間でデータをやり取りする。外部の通信機器は、たとえば、センサーボックス１００、管理サーバー２００を含む。
【００７１】
記憶装置４２０は、たとえば、ハードディスクや外付けの記憶装置などの記録媒体である。一実現例では、記憶装置４２０は、制御装置４０１によって実行されるプログラムを格納するが、当該プログラムは、制御装置４０１がアクセス可能な他の記憶装置に格納あされていてもよい。
【００７２】
（対話端末７００）
図５に示されるように、対話端末７００は、制御装置７０１と、ＲＡＭ７０３と、通信インターフェイス７０４と、スピーカー７１１と、マイク７１２と、ディスプレイ７１３と、内部メモリー７２０とを含む。
【００７３】
制御装置７０１は、対話端末７００を制御する。制御装置７０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはこれらの組み合わせなどによって構成される。
【００７４】
通信インターフェイス７０４には、アンテナ（図示しない）などが接続される。対話端末７００は、当該アンテナを介して、外部の通信機器との間でデータをやり取りする。外部の通信機器は、たとえば、センサーボックス１００、管理サーバー２００を含む。
【００７５】
スピーカー７１１は、制御装置７０１の制御に従って音声を出力し、マイク７１２は、入力された音声を制御装置７０１へ出力する。ディスプレイ７１３は、制御装置７０１の制御に従って情報を表示する。ディスプレイ７１３は、タッチパネルによって構成されていてもよい。この場合、当該タッチパネルは、タッチによる情報の入力を受け付け、入力された情報を制御装置７０１へ出力する。
【００７６】
内部メモリー７２０は、たとえば、ｅＭＭＣなどの記録媒体である。一例として、内部メモリー７２０は、制御装置７０１によって実行されるプログラムを格納するが、当該プログラムは、制御装置７０１がアクセス可能な記憶装置であれば、内部メモリー７２０以外の記憶装置に格納されていてもよい。
【００７７】
（本明細書における「プログラム」という用語の意義）
見守りシステムにおいて、各種の「プログラム」は、単体のプログラムとしてではなく、任意のプログラムの一部に組み込まれて提供される場合があり得る。各種の「プログラム」は、任意の複数のプログラムが協働することによって実現され得る。一例では、センサーボックス１００の制御装置１０１が第１のプログラムを実行することによって本明細書において説明される機能を実現する際に、当該第１のプログラムは、第２のプログラムの一部のモジュールを利用していてもよい。第１のプログラムは、当該機能の実現のための一部のモジュールを含まない場合であっても、当該機能の実現に主に貢献する場合、当該機能を実現するためのプログラムとしての趣旨から逸脱するものではない。また、本明細書において説明される機能は、その一部または全部が専用のハードウェアによって実現されてもよい。さらに、本明細書において説明される機能を提供する装置は、その機能の一部または全部を外部装置から所謂クラウドサービスとして提供される場合もあり得る。
【００７８】
［見守りシステムの利用態様］
図６は、見守りシステムの利用態様の一例を示す図である。図６に示された態様では、見守りシステムを構成する要素間の情報の流れが矢印で示され、各矢印には数字が割り振られている。割り振られた数字は、見守りシステム内の情報の流れの順序の一例を表わす。以下、順序に沿って、見守りシステム内の情報の流れを説明する。
【００７９】
（（１）検出，記録）
センサーボックス１００は、居室９００における入居者８００の挙動（動作）を検出するための種々のデータを取得し、記録する。センサーボックス１００は、取得されたデータから、入居者８００の挙動（行動）を検出する。検出される行動は、たとえば、「起床」「離床」「転落」または「転倒」である。センサーボックス１００は、入居者８００が所定の行動を検出すると、行動の検出を管理サーバー２００へ通知する。
【００８０】
なお、入居者８００の挙動（行動）の検出は、管理サーバー２００で行なわれてもよい。この場合、管理サーバー２００は、センサーボックス１００からデータを取得し、当該データを解析することによって、入居者８００の行動を検出する。
【００８１】
（（２）ケア記録の登録）
管理サーバー２００は、センサーボックス１００から、入居者に関連するセンサーの検出出力を取得し、当該検出出力を入居者ごとのケア記録に登録する。入居者に関連するセンサーとは、居室内の入居者に関する情報を出力するあらゆるセンサー（たとえば、カメラ１０５、ドップラーセンサー１０６、ケアコール子機５００、ドアセンサー５１０、トイレセンサー５２０、臭いセンサー５３０、バイタルセンサー５４０）を含む。
【００８２】
ケア記録とは、入居者に関するあらゆる情報を管理するための情報であり、たとえば、電子ファイルの形態で管理される。ケア記録は、たとえば記憶装置２２０に格納される。なお、ケア記録は、ケアシステム内のプロセッサーがアクセス可能な記憶装置であれば、記憶装置２２０以外の記憶装置に格納されていてもよい。
【００８３】
一例では、ケア記録は、入居者を特定する情報と、当該入居者に提供されたケアの作業内容とを含む。ケア記録は、入居者の行動履歴（食事、居室への入室、居室からの退出、トイレ、起床、離床、および／または、ケアコールボタン５０１の操作）を含んでいてもよい。
【００８４】
取得される検出出力は、「起床」「離床」「転落」または「転倒」等の行動情報であってもよいし、入居者のバイタル情報（たとえば、体温、心拍数、呼吸数）であってもよい。センサーボックス１００は、居室９００内の温度を検出する温度計を備えていてもよく、上記検出出力は居室９００の室温であってもよい。
【００８５】
（（３）質問用の情報）
管理サーバー２００は、センサーボックス１００から取得した検出出力が所与の条件を満たす場合、対話端末７００に対して、当該検出出力に応じた質問の出力を指示する。このとき、管理サーバー２００は、出力されるべき質問を特定する情報（質問用の情報）を対話端末７００へ送信する。
【００８６】
（（４）質問）
対話端末７００は、管理サーバー２００からの指示に応じて、質問を出力する。出力される質問の内容は、管理サーバー２００から送信された質問用の情報に従う。
【００８７】
見守りシステムは、管理サーバー２００が、対話端末７００に対して単に質問の出力を指示のみで、出力される質問の内容は、対話端末７００によって決定されるように、構成されていてもよい。
【００８８】
検出出力の種類が異なっても、出力される質問の内容は同一であってもよい。たとえば、入居者が高熱であることが検出された場合であっても、入居者が離床したことが検出された場合であっても、出力される質問の内容は同一（たとえば、「大丈夫？」）であってもよい。
【００８９】
（（５）回答）
対話端末７００から出力された質問に対して、入居者は回答する。対話端末７００は、当該回答を取得する。入居者からの回答は、音声であってもよいし、タッチパネルに対するタッチ操作であってもよいし、手話などのジェスチャーであってもよい。たとえば、対話端末７００は、回答が音声であればマイクロフォンによって回答を取得し、回答がタッチ操作であればタッチパネルによって回答を取得し、回答がジェスチャーであればカメラによって回答を取得する。
【００９０】
なお、入居者が意識を失っている、入居者の機嫌が悪い、等の事情によって、対話端末７００は入居者からの回答を取得できない場合があり得る。対話端末７００は、質問の出力後、一定時間入居者からの回答を取得できなかった場合には、「回答無し」を回答内容として特定してもよい。
【００９１】
（（６）回答内容）
対話端末７００は、入居者からの回答の内容を管理サーバー２００へ送信する。対話端末７００は、取得された回答を加工することなく管理サーバー２００へ送信してもよいし、取得された回答を加工することによって取得された情報を管理サーバー２００へ送信しても良い。加工の一例は、回答が音声データである場合に、音声認識によって当該音声データからテキストデータを生成することである。この場合、生成されたテキストデータが管理サーバー２００へ送信される。対話端末７００は、加工によって生成されたデータを、元の回答（たとえば、音声データ）とともに管理サーバー２００へ送信してもよい。
【００９２】
管理サーバー２００は、送信された加工後のデータを携帯端末３００に対する通知の要否の判断に利用し、元の回答のデータをケア記録の一部（エビデンス）として保存しても良い。
【００９３】
（（７）回答内容の解析）
管理サーバー２００は、対話端末７００から送信された回答内容を解析することにより、携帯端末３００への通知の要否を決定する。回答内容の解析は、たとえば、回答の加工（たとえば、音声データの文字認識）と、加工によって生成された情報（たとえば、文字認識によるテキストデータ）を用いた判断とを含んでいてもよい。対話端末７００から加工後のデータが送信された場合、管理サーバー２００における回答の加工は省略され得る。
【００９４】
（（８）通知）
管理サーバー２００は、回答内容の解析によって携帯端末３００への通知が必要であると判断すると、携帯端末３００に、入居者のケアに関する通知を行なう。通知は、入居者の居室へのかけつけが必要であることを示しても良いし、入居者に関するかけつけ以外の対応（看護師呼び出し）を示しても良いし、これらの双方を示しても良い。
【００９５】
（（９）かけつけ）
携帯端末３００は、管理サーバー２００からの通知を受信すると、当該通知に対応する情報を出力する。情報の出力は、視覚的な情報（メッセージ等）の表示であってもよいし、アラーム音等の音声の出力であってもよいし、振動であってもよいし、これらの組合せであってもよい。出力される情報は、かけつけを必要とする居室および／または入居者を特定する情報を含んでいてもよい。出力される情報は、必要とされるケアを特定する情報（排泄介助、等）を含んでいてもよい。
【００９６】
携帯端末３００には、ケア作業用のアプリケーション（以下、「ケア作業用アプリ」ともいう）がインストールされていてもよい。携帯端末３００の制御装置３０１は、当該ケア作業用アプリの機能として、上記情報の出力を実現してもよい。
【００９７】
携帯端末３００を携帯するスタッフＮＡは、携帯端末３００による情報の出力によって、かけつけの必要性を認識し、入居者の居室へかけつける。
【００９８】
（（１０）ケア作業）
居室へかけつけたスタッフＮＡは、当該居室において、ケアを提供する。
【００９９】
（（１１）ケア記録入力）
ケアの提供後、スタッフＮＡは、作業内容を携帯端末３００へ入力する。携帯端末３００は、入力された作業内容を管理サーバー２００へ送信する。作業内容の送信は、たとえば、携帯端末３００のケア作業用アプリの機能として実現されてもよい。
【０１００】
（（１２）ケア記録の更新）
携帯端末３００から作業内容を受信すると、管理サーバー２００は、ケアの対象となった入居者のケア記録に、当該作業内容を追加する。
【０１０１】
（（１３）質問条件の更新）
管理サーバー２００は、入居者の回答内容に従って、質問を出力（または出力の指示を送信）するための検出出力についての条件を更新してもよい。たとえば、ケアシステムにおいて、「入居者の体温が３５．０℃未満であること、または、３７．０℃を超えたこと」を条件として、質問「疲れていない？」が出力されるように、管理サーバー２００が設定されているとする。
【０１０２】
このような設定の下、入居者の体温が３７．２℃であるという検出出力に応じて出力された質問「疲れていない？」に対して、回答「大丈夫だよ。」が取得された場合、管理サーバー２００は、当該入居者についての質問を出力するための検出出力についての条件を、「入居者の体温が３５．０℃未満であること、または、３７．２℃を超えたこと」へと変更してもよい。すなわち、条件における高い側の閾値が、上記作業内容中の「３７．２℃」に基づいて、３７．０℃から３７．２℃へと変更されてもよい。上記回答の内容に基づくと、当該入居者は、体温が３７．２℃であっても体調不良とは感じない可能性が高い。上記のような条件の変更により、当該入居者に無用な質問が出力される事態が極力回避され得る。
【０１０３】
（（１４）ケア記録ＵＩ変更）
管理サーバー２００は、入居者の回答内容に従って、携帯端末３００におけるケア記録ＵＩ（ユーザーインターフェース）の変更を指示してもよい。音声で取得された回答についての回答内容は、音声の周波数等として現れる声の調子の情報を含み得る。音声の周波数が高い場合には、回答内容の緊急度が高く、音声の周波数が低い場合、回答内容の緊急度が低い、と推定することができる。
【０１０４】
管理サーバー２００は、一例では、高い緊急度で回答する頻度の高い入居者についての通知を低い緊急度で回答する頻度の高い入居者のものよりも優先して出力するように、携帯端末３００に対して、ケア記録ＵＩの変更を指示してもよい。「優先」の態様の一例は、表示のサイズが大きいことである。他の例は、表示される位置が上方であることである。さらに他の例は、表示される色が濃いことである。携帯端末３００は、当該指示に従って、ケア記録ＵＩにおける設定を変更し得る。
【０１０５】
（（１５）検出設定変更）
管理サーバー２００は、入居者の回答内容に従って、センサーボックス１００に対して、センサーの感度の変更を指示することができる。一例では、センサーボックス１００は、入居者の体温を、１℃単位で検出する。すなわち、入居者の体温が３６．６℃から３７．４℃の範囲内にあっても、入居者の体温の検出出力は３７℃である。質問が出力される条件の一例は、「入居者の体温が３５．０℃未満であること、または、３７．０℃を超えたこと」である。
【０１０６】
入居者の体温が３７℃であるという検出出力に応じて質問「疲れていない？」が複数回出力されたとき、当該入居者は、５０％の割合で「大丈夫だよ。」と回答し、５０％の割合で「少し疲れている。」と回答したとする。この場合、当該入居者は、体温が３６．６℃であれば「大丈夫だよ。」と回答し、体温が３７．４℃であれば「少し疲れている。」と回答しているかもしれない。このような場合、管理サーバー２００は、センサーボックス１００に対して、入居者の体温を０．１℃単位で検出するように、感度の変更を指示する。この変更により、入居者の体温が３６．６℃であれば、検出出力も３６．６℃になる。３６．６℃は、３７．０℃より低い。このため、入居者に質問は出力されない。一方、入居者の体温が３７．４℃であれば、検出出力も３７．４℃である。３７．４℃は、３７．０℃よりも高い。このため、入居者に質問「疲れていない？」が出力される。すなわち、この変更により、体温が３６．６℃である入居者に無用な質問が出力されることを極力回避されつつ、体温が３７．４℃である入居者には確実に質問が出力され得る。
【０１０７】
［質問内容に応じた通知の具体例］
図７は、見守りシステムにおいて出力される質問の一例を示す図であり、図８は、見守りシステムにおいて出力される質問の他の例を示す図である。
【０１０８】
図７の例では、入居者における排泄の要望の有無を問い合わせる質問が出力される。より具体的には、対話端末７００は、入居者に対する質問Ｑ（１）として、音声「そろそろ、トイレに行きたくない？」を出力する。図７の例では、入居者８００は、当該質問Ｑ（１）に対して、「そういわれれば、行きたいなぁ。」と回答している。
【０１０９】
対話端末７００は、当該回答を、質問Ｑ（１）に対する回答Ａ（１）として取得する。回答Ａ（１）は、対話端末７００を介して、管理サーバー２００へ送信される。
【０１１０】
管理サーバー２００は、さらに、回答から抽出された部分を用いて、スタッフの携帯端末３００に対してかけつけのための通知をするか否かを決定することができる。図７の例では、管理サーバー２００は、回答Ａ（１）を解析することにより、文字列「そういわれれば、行きたいなぁ。」を抽出する。管理サーバー２００は、当該文字列が、トイレに行くことを希望する文字列として予め登録された文字列「行きたいなぁ」を含むことを条件として、携帯端末３００に対して通知を出力する。当該通知は、質問Ｑ（１）に関連付けられた作業内容（排泄介助）を含んでいてもよい。
【０１１１】
なお、見守りシステムは、コンピューター（管理サーバー２００）の代わりに、当該見守りシステムの管理者が、通知を出力するか否かを決定してもよい。この場合、管理サーバー２００は、回答Ａ（１）または当該回答Ａ（１）の解析結果（文字列など）を出力してもよい。管理者は、当該回答Ａ（１）または解析結果に従って、通知を出力するか否かを決定してもよいし、さらに、当該通知に含ませる情報の種類を決定してもよい。
【０１１２】
図８の例では、入居者に対する質問Ｑ（２）は、音声「疲れていない？」である。質問Ｑ（２）に対する入居者の回答Ａ（２）は、音声「そうだね。なんだか疲れたなぁ。」である。
【０１１３】
一例では、管理サーバー２００は、回答Ａ（２）を解析することにより、文字列「そうだね。なんだか疲れたなぁ。」を生成する。管理サーバー２００は、入居者が疲れた状態であることを示す文字列として予め登録された文字列「疲れたなぁ」を含むことを条件として、携帯端末３００に対して通知を出力する。図８の例において出力される通知は、質問Ｑ（２）が出力される要因となった事象に従って決定され得る。
【０１１４】
一例では、質問Ｑ（２）の出力の要因となった事象は、入居者が居室に入室したことである。入居者が居室に入室したことは、たとえば、ドアセンサー５１０の検出出力に基づいて検出される。この場合、管理サーバー２００は、当該事象に関連付けられた作業内容「体調確認」を、上記通知とともに、携帯端末３００へ送信する。
【０１１５】
他の例では、質問Ｑ（２）の出力の要因となった事象は、入居者の体温が低すぎる（たとえば、３５℃未満）または高すぎる（たとえば、３７℃を超える）ことである。入居者の体温は、たとえば、バイタルセンサー５４０の検出出力に基づいて検出され得る。この場合、管理サーバー２００は、当該事象に関連付けられた作業内容「看護師呼び出し」を、上記通知とともに、携帯端末３００へ送信する。
【０１１６】
すなわち、図８の例では、質問に対する入居者の回答が所与の条件を満たす場合、管理サーバー２００は、携帯端末３００へ通知を出力する。当該通知に付与される作業内容は、質問の内容に従って決定される。
【０１１７】
［見守りシステムの機能ブロック］
図９は、見守りシステム内の各要素の機能ブロック図である。以下、見守りシステム内の装置ごとに、機能を説明する。
【０１１８】
（センサーボックス１００）
センサーボックス１００は、センサー入力部１９１、画像入力部１９２、および、室内認識部１９３として機能する。
【０１１９】
センサー入力部１９１は、入居者の挙動（動作）を検出し、たとえば、ドップラーセンサー１０６、ケアコール子機５００、ドアセンサー５１０、トイレセンサー５２０、および／または、臭いセンサー５３０によって構成される。
【０１２０】
画像入力部１９２は、居室内の画像を取得し、たとえばカメラ１０５によって構成される。
【０１２１】
室内認識部１９３は、センサー入力部１９１および画像入力部１９２から出力される検出出力に基づいて、入居者の状態を検出する。検出される入居者の状態は、たとえば、カメラ１０５の検出出力に基づく、「起床」、「離床」、「転倒」または「転落」である。室内認識部１９３は、たとえば、所与のプログラムを実行する制御装置１０１によって構成される。
【０１２２】
（管理サーバー２００）
管理サーバー２００は、ケア支援サービス管理部２９１、質問・回答管理部２９２、および、タイミング判定部２９３として機能する。
【０１２３】
ケア支援サービス管理部２９１は、各入居者のケア記録を管理する。より具体的には、ケア記録に、各入居者の情報（氏名、年齢、等）を格納し、また、携帯端末３００からもしくは入力デバイス２０８から入力された作業履歴等をケア記録に登録する。ケア支援サービス管理部２９１は、たとえば、所与のプログラムを実行する制御装置２０１によって構成される。ケア支援サービス管理部２９１は、さらに、ケア記録を格納する記憶装置２２０によって構成される場合もある。
【０１２４】
質問・回答管理部２９２は、センサーボックス１００から、入居者についての検出出力を受信し、当該検出出力に基づいて、当該入居者の居室に設置された対話端末７００に質問の出力を指示するか否かを決定する。質問・回答管理部２９２は、さらに、入居者からの回答内容に基づいて、携帯端末３００に通知を出力するか否かを決定してもよい。質問・回答管理部２９２は、たとえば、所与のプログラムを実行する制御装置２０１によって構成される。質問・回答管理部２９２は、さらに、質問の出力要否、出力される質問の内容、通知の要否、および／または、通知とともに送信される情報の内容を決定するための情報（たとえば、検出出力と質問内容とを関連付ける情報）を格納する記憶装置２２０によって構成される場合もある。
【０１２５】
タイミング判定部２９３は、居室にスタッフが居るか否かを判断する。当該判断の一例は、携帯端末３００から当該携帯端末３００の位置情報を取得し、当該位置情報が居室内であるか否かを判断することである。他の例は、当該居室内の画像を認識することにより、当該居室にスタッフとして特定される物体の存在有無の判断である。なお、当該判断は、他の手法（ケア記録上の作業終了時刻、当該時刻から所与時間経過後、居室の外向けのオプティカルフローの検知、等）によっても実現され得る。タイミング判定部２９３は、たとえば、所与のプログラムを実行する制御装置２０１によって構成される。タイミング判定部２９３は、上記判断の結果を、質問・回答管理部２９２へ送信する。
【０１２６】
質問・回答管理部２９２は、対話端末７００に質問を出力する指示を、当該対話端末７００が設置された居室にスタッフが居ないことを条件として出力してもよい。これにより、居室にスタッフがいるにも関わらず、当該居室にかけつけるための通知が携帯端末３００に送信されるという事態、すなわち、携帯端末３００に無駄な通知が送信されるという事態が回避され得る。
【０１２７】
（携帯端末３００）
携帯端末３００は、ケア支援ＵＩ部３９１および位置センサー３９２として機能する。ケア支援ＵＩ部３９１は、管理サーバー２００から受信した通知のための画面を表示し、また、作業内容を入力するための画面を表示する。ケア支援ＵＩ部３９１は、たとえば、ケア作業用アプリを実行する制御装置３０１によって構成される。位置センサー３９２は、携帯端末３００の位置情報を取得する、たとえばＧＰＳ（Global  Positioning  System）受信器（図３では省略されている）によって構成される。位置センサー３９２は、管理サーバー２００へ、携帯端末３００の位置情報を送信する。
【０１２８】
（対話端末７００）
対話端末７００は、質問ＵＩ部７９１および回答ＵＩ部７９２として機能する。質問ＵＩ部７９１は、質問を出力し、たとえば、スピーカー７１１および／またはディスプレイ７１３によって構成される。図８の例では、質問ＵＩ部７９１は、質問・回答管理部２９２からの指示に従って、質問を出力する。
【０１２９】
回答ＵＩ部７９２は、入居者からの回答を取得し、当該回答を管理サーバー２００へ送信する。回答ＵＩ部７９２は、たとえば、マイク７１２、または、図示しないタッチパネルもしくはカメラによって構成される。
【０１３０】
（各装置における機能の配置）
図９に示された各機能の配置は、単なる一例である。図９の例において単一の装置に割り当てられた２以上の機能のそれぞれが、異なる装置において実現されてもよい。たとえば、図９の例では、管理サーバー２００には、センサーボックス１００から各種の検出出力を取得するケア支援サービス管理部２９１と、取得された検出出力に応じた質問の出力を対話端末７００に対して指示する質問・回答管理部２９２とが割当てられているが、これらの機能は互いに別の装置に割当てられてもよい。より具体的には、ケア支援サービス管理部２９１は管理サーバー２００に割り当てられ、質問・回答管理部２９２は対話端末７００に割り当てられても良い。
【０１３１】
この場合、ケア支援サービス管理部２９１として機能する管理サーバー２００は、質問・回答管理部２９２として機能する対話端末７００に対して、検出出力を送信する。質問・回答管理部２９２として機能する対話端末７００は、検出出力に応じた質問（質問項目）を特定し、質問ＵＩ部７９１として機能する要素へ当該質問の出力を指示する。質問ＵＩ部７９１として機能する対話端末７００は、質問を出力する。このような状況を考慮すると、質問の出力を指示することは、実質的に、質問を出力することを意味する場合があり得る。
【０１３２】
また、図９の例において複数の装置に割当てられた機能が単一の装置において実現されてもよい。たとえば、図９の例において、センサーボックス１００に割り当てられた機能と対話端末７００に割り当てられた機能とが、すべて対話端末７００において実現される場合があり得る。すなわち、対話端末７００が、ケア対象者に関連するセンサーをも含むことがあり得る。対話端末７００は、さらに、管理サーバー２００に割り当てられた機能、すなわち、対象者のケア記録の管理および／または検出出力に応じた質問内容の管理をする機能を割り当てられても良い。
【０１３３】
［質問データベース］
図１０は、検出出力と質問の内容とを関連付ける情報の一例（質問データベース）を示す図である。質問データベースは、認識項目と、時間・回数条件と、質問項目と、ケア支援情報とを関連付ける。
【０１３４】
認識項目は、見守りシステム内のセンサーの検出出力によって認識される状態を規定する。時間・回数条件は、認識項目として設定されている状態が認識されたときに、質問の出力が出力される条件を規定する。質問項目は、質問として出力される内容を規定する。ケア支援情報は、上記質問に対する回答についての、携帯端末３００への通知が出力される条件を規定する。
【０１３５】
たとえば、質問データベースでは、認識項目「入室」と、時間・回数条件「即時」、質問項目「疲れていないか？」、および、ケア支援情報「疲れている場合：体調確認」が関連付けられている。
【０１３６】
この関連付けに従うと、居室に対する入居者の「入室」が認識されると、「即時」に、「疲れていないか？」を問い合わせる質問が出力され、回答が「疲れている」ことを示すものであれば携帯端末３００へかけつけのための通知が出力され、当該通知には作業内容「体調確認」を示す情報が付与される。
【０１３７】
具体的には、管理サーバー２００は、センサーボックス１００からの検出出力によって入居者が居室に入ることを認識したことに応じて、当該居室に設置された対話端末７００に対して、入居者が疲れていないかを確認する質問の出力を指示する。出力される質問の一例は、図８の質問Ｑ（２）のメッセージ「疲れていない？」である。当該質問に対する回答が「疲れている」ことを示す場合には、管理サーバー２００は、携帯端末３００に通知を送信するとともに、当該通知に作業内容「体調確認」を特定する情報を付与する。回答が「疲れている」ことを示すもの以外である場合は、管理サーバー２００は、上記通知を送信しない。
【０１３８】
管理サーバー２００は、質問に対する回答が取得できなかった場合（たとえば、入居者が回答しなかった場合）にも、携帯端末３００に通知を送信してもよい。この場合、通知には、回答がなかったことを示す情報が付与され得る。
【０１３９】
図１０の例において、時間・回数条件「１時間経過」は、認識項目で特定される状態が認識された後、１時間経過したことを条件として、質問の出力が指示されることを意味する。すなわち、図１０の表の２行目は、入居者の「入床」が検出された後、１時間経過したことを条件として、「眠くないか？」という内容を含む質問が出力されることを意味する。当該質問に対し、「眠い」ことを示す回答が取得されると、携帯端末３００に、作業内容「パジャマへの着替え介助」を含む通知が送信される。
【０１４０】
図１０の表の３行目は、入居者の「入床」という状態が、ＡＭ０時からＡＭ５時までの時間帯に認識された場合、「眠れないのか？」という内容を含む質問が出力されることを意味する。当該質問に対し、「眠い」ことを示す回答が取得されると、携帯端末３００に、作業内容「パジャマへの着替え介助」を含む通知が送信される。
【０１４１】
図１０の表の４行目は、入居者の「離床」という状態が、状態「入床」が検出された後１時間以上経過した後に認識された場合、「疲れていない？」という内容を含む質問が出力されることを意味する。当該質問に対し、「疲れている」ことを示す回答が取得されると、携帯端末３００に、作業内容「体調確認」を含む通知が送信される。
【０１４２】
図１０の表の５行目は、入居者の「トイレへの移動」という状態が認識された後、１時間が経過すると、「そろそろ便意は無いか？」という内容を含む質問が出力されることを意味する。当該質問に対し、「便意がある」ことを示す回答が取得されると、携帯端末３００に、作業内容「排泄介助」を含む通知が送信される。
【０１４３】
図１０の表の６行目は、入居者の「本棚への移動」という状態を認識された回数が、当日の１５時（ＰＭ３時）の時点で同日内で５回未満である場合、「体に異常があるのか？」という内容を含む質問が出力されることを意味する。当該質問に対し、「異常がある」ことを示す回答が取得されると、携帯端末３００に、作業内容「体調確認」を含む通知が送信される。
【０１４４】
図１０の表の７行目は、入居者の「部屋（居室）中央での長時間滞留」という状態が１０分継続して認識された場合、「転倒したのか？」という内容を含む質問が出力されることを意味する。当該質問に対し、「転倒した」ことを示す回答が取得された場合、または、一定時間回答が取得されない場合、携帯端末３００に、事象「転倒発生」を含む通知が送信される。
【０１４５】
図１０の表の８行目は、入居者について「安静睡眠判定」が実施され、安静ではない状態が１分以上連続して認識された場合には、「体に異常があるのか？」という内容を含む質問が出力されることを意味する。当該質問に対し、「異常がある」ことを示す回答が取得された場合、または、一定時間回答が取得されない場合、携帯端末３００に、作業内容「体調確認」を含む通知が送信される。
【０１４６】
図１０の表の９行目は、入居者の体温が３５度未満または３７度を超える状態が認識された場合には、即時的に、「疲れてないか？」という内容を含む質問が出力されることを意味する。当該質問に対し、「疲れている」ことを示す回答が取得されると、携帯端末３００に、看護師の呼び出しを行う指示とともに、居室へのかけつけのための通知が送信される。
【０１４７】
図１０の表の１０行目は、居室内の室温が３０度以上である状態が認識された場合、即時的に、「暑くないか？」という内容を含む質問が出力されることを意味する。当該質問に対し、「暑い」ことを示す回答が取得されると、携帯端末３００に、作業内容「空調調整必要」を含む通知が送信される。
【０１４８】
時間・回数条件「安静でない状態が連続１分」は、入居者が１分間連続して動いている状態が認識されたことを条件として、質問の出力が指示されることを意味する。入居者が動いていることは、たとえば、カメラ１０５の画像解析によって、入居者と特定される物体の重心（または、当該物体の一部）の位置が移動していることによって特定され得る。
【０１４９】
［処理の流れ］
図１１は、対話端末７００からの質問の出力に関して管理サーバー２００によって実行される処理のフローチャートである。図１１の処理は、たとえば、制御装置２０１が所与のプログラムを実行することによって実現される。
【０１５０】
ステップＳ１０にて、制御装置２０１は、センサーボックス１００から、センサーボックス１００内のまたはセンサーボックス１００に接続された、各種のセンサーの検出出力を取得する。
【０１５１】
ステップＳ１２にて、制御装置２０１は、ステップＳ１０にて取得した検出出力を解析する。
【０１５２】
ステップＳ１４にて、制御装置２０１は、ステップＳ１２の解析の結果を用いて、質問出力用の条件が成立しているか否かを判断する。制御装置２０１は、質問出力用の条件が成立していると判断すると（ステップＳ１４にてＹＥＳ）、ステップＳ１６へ制御を進め、そうでなければ（ステップＳ１４にてＮＯ）、ステップＳ１０へ制御を戻す。
【０１５３】
質問出力用の条件が成立することは、たとえば、図１０の質問データベースの「認識項目」で規定される状態が発生し、かつ、「時間・回数条件」として規定される条件が満たされたことである。
【０１５４】
ステップＳ１０〜Ｓ１４の制御の中の少なくとも一部は、センサーボックス１００によって実施されてもよい。一例では、センサーボックス１００は、各種のセンサーの検出出力に基づいて、質問データベース内の認識項目として特定される状態が発生すると、管理サーバー２００へ、当該状態が発生した旨の情報を送信する。当該情報を受信すると、管理サーバー２００は、「時間・回数条件」として規定される条件が満たされるまで待機し、当該条件が満たされると、ステップＳ１６へ制御を進める。
【０１５５】
ステップＳ１６にて、制御装置２０１は、居室においてスタッフが不在であるか否かを判断する。制御装置２０１は、スタッフが不在であると判断すると（ステップＳ１６にてＹＥＳ）、ステップＳ１８へ制御を進め、そうでなければ（ステップＳ１６にてＮＯ）、ステップＳ１０へ制御を戻す。
【０１５６】
ステップＳ１８にて、制御装置２０１は、対話端末７００へ、質問の出力を指示する。当該指示は、質問の内容を指定する情報を含んでいてもよい。指定される内容は、たとえば、図１０の質問データベース内の「質問項目」によって規定される。
【０１５７】
ステップＳ２０にて、制御装置２０１は、対話端末７００から、ステップＳ１８において出力を指示した質問に対する回答を取得する。回答は、たとえば、質問の出力から一定時間以内に対話端末７００が取得した情報として、当該質問と関連付けられる。
【０１５８】
ステップＳ２２にて、制御装置２０１は、回答内容を解析する。
ステップＳ２４にて、制御装置２０１は、回答内容の解析結果に基づいて、携帯端末３００への通知の要否を判断する。制御装置２０１は、通知が必要であると判断すると（ステップＳ２４にてＹＥＳ）、ステップＳ２６へ制御を進め、そうでなければ（ステップＳ２４にてＮＯ）、ステップＳ２８へ制御を進める。
【０１５９】
ステップＳ２６にて、制御装置２０１は、携帯端末３００へ通知を出力する。当該通知は、たとえば、居室へのかけつけを要求する内容を含む。当該通知は、当該居室において必要とされる作業内容を特定する情報を含んでいてもよい。
【０１６０】
ステップＳ２８にて、制御装置２０１は、出力を指示した質問および取得された回答の内容等を追加するように、ケア記録を更新する。
【０１６１】
ステップＳ３０にて、制御装置２０１は、質問条件（質問が出力されるための条件。たとえば、図１０の質問データベース内の「認識項目」および「時間・回数条件」の少なくとも一方）の更新が必要か否かを判断する。制御装置２０１は、質問条件の更新が必要であると判断すると（ステップＳ３０にてＹＥＳ）、ステップＳ３２へ制御を進め、そうでなければ（ステップＳ３０にてＮＯ）、ステップＳ３４へ制御を進める。一例では、制御装置２０１は、上記「（１３）質問条件の更新」において説明されたような、検出出力の条件が変更され得る状態が発生している場合に、質問条件の更新が必要であると判断し、そのような状態が発生していない場合に、質問条件の更新が不要であると判断する。
【０１６２】
ステップＳ３２にて、制御装置２０１は、回答内容に従って、質問条件を更新する。これにより、質問が出力されるための検出出力についての条件が変更される。
【０１６３】
ステップＳ３４にて、制御装置２０１は、センシング態様の変更が必要か否かを判断する。変更されるセンシング態様の一例は、センサーの感度である。制御装置２０１は、センシング態様の変更が必要であると判断すると（ステップＳ３４にてＹＥＳ）、ステップＳ３６へ制御を進め、そうでなければ（ステップＳ３４にてＮＯ）、図１１の処理を終了させる。一例では、制御装置２０１は、上記「（１５）検出設定変更」において説明されたようなセンサーの感度が変更され得る状態が発生している場合に、センシング態様の変更が必要であると判断し、そのような状態が発生していない場合に、センシング態様の変更が不要であると判断する。
【０１６４】
ステップＳ３６にて、制御装置２０１は、回答内容に従って、センサーボックス１００に対して、センシング態様の変更を指示する。これに応じて、センサーボックス１００は、各種センサーのセンシング態様を変更する。
【０１６５】
［行動情報の取得態様の具体例］
（１）室内画像からの入居者の位置情報の取得
図１２は、カメラ１０５の撮像画像からの入居者の位置情報を取得する態様の具体例を説明する図である。
【０１６６】
図１２には、３つの画像１２１０，１２２０，１２３０が示される。画像１２１０は、カメラ１０５によって撮影された、入居者の不在時の居室の画像である。画像１２２０は、入居者の在室時の画像である。画像１２３０は、画像１２１０と画像１２２０の差分を示す画像である。
【０１６７】
画像１２１０と画像１２２０の差分は、入居者に対応する。したがって、画像１２３０の中のオブジェクト１２５０は、入居者の画像として特定される。
【０１６８】
見守りシステムでは、センサーボックス１００の検出出力を用いて、センサーボックス１００の制御装置１０１または管理サーバー２００の制御装置２０１が入居者の行動情報を取得する。行動情報は、入居者の画像そのもの、または、入居者の画像の重心に基づいて特定され得る。入居者の画像の重心は、図１２の矩形１２６０の重心１２６１として特定される。矩形１２６０は、オブジェクト１２５０が外接する矩形である。
【０１６９】
（２）室内画像からの入居者の行動情報の取得
図１３は、カメラ１０５の撮像画像を用いて入居者の行動情報を取得する態様の具体例を説明する図である。
【０１７０】
図１３には、２つの画像１３１０，１３２０が示される。画像１３１０は、カメラ１０５によって撮影された、入居者の在室時の画像である。画像１３２０は、画像１３１０と入居者の不在時の室内画像（画像１２１０）との差分を示す画像である。
【０１７１】
図１３の例では、居室内に、ベッドと、本棚と、居室に入るためのドアと、トイレとが設けられている。画像１３１０では、オブジェクト１３１１は、入居者に対応する。オブジェクト１３１２，１３１３，１３１４，１３１５は、それぞれ、ベッド、本棚、ドア、トイレに対応する。画像１３２０の中のオブジェクト１３２１は、入居者に対応する。
【０１７２】
見守りシステムでは、室内画像に対して、入居者の行動情報を生成するための１つ以上の領域が設定され、当該設定された領域を利用して入居者の行動情報が生成され得る。
【０１７３】
画像１３２０において、領域１３２２は、ベッドを表わす領域として設定される。入居者に対応するオブジェクトの重心が領域１３２２内に位置すれば、入居者がベッド上に位置することを示す行動情報が生成される。当該重心が、領域１３２２内から領域１３２２外へと移動する場合、入居者が離床したことを示す行動情報が生成される。
【０１７４】
領域１３２３は、本棚に対応して設定される。入居者に対応するオブジェクトの重心が領域１３２３内に位置すれば、入居者が本棚の前に位置することを示す行動情報が生成される。当該重心が領域１３２３の重心に向けて移動している場合、入居者が本棚に向けて移動していることを示す行動情報が生成される。
【０１７５】
領域１３２４は、ドアを表わす領域として設定される。入居者に対応するオブジェクトの重心が領域１３２４を介して居室の内側へと移動した場合、入居者が居室に入ることを示す行動情報が生成される。当該重心が領域１３２４を介して居室の外側へと移動した場合、入居者が居室から出ることを示す行動情報が生成される。
【０１７６】
領域１３２５は、トイレを表わす領域として設定される。入居者に対応するオブジェクトの重心が領域１３２５内に位置する場合、入居者がトイレに行ったことを示す行動情報が生成される。当該重心が領域１３２５の重心に向けて移動している場合、入居者がトイレに向けて移動していることを示す行動情報が生成される。
【０１７７】
図１２および図１３を参照して説明された態様によって行動情報が生成されることにより、図１０の認識項目「入居者のトイレへの移動」「本棚への移動」等の種々の認識項目に対応する行動情報が生成される。
【０１７８】
以上、図１２および図１３を参照して説明された態様は、行動情報の生成態様の一例である。見守りシステムでは、上記態様以外にも、居室内のサーモグラフィーや呼吸センサー等を利用することによって、入居者の行動情報が生成され得る。
【０１７９】
今回開示された各実施の形態は全ての点で例示であって制限的なものではないと考えられるべきである。本発明の範囲は上記した説明ではなくて請求の範囲によって示され、請求の範囲と均等の意味および範囲内での全ての変更が含まれることが意図される。
【符号の説明】
【０１８０】
１００，１００Ａ，１００Ｂ  センサーボックス、１０１，２０１，３０１，４０１，７０１  制御装置、１０５  カメラ、１０６  ドップラーセンサー、１０７  無線通信装置、１２０，２２０，４２０  記憶装置、１９１  センサー入力部、１９２  画像入力部、２００  管理サーバー、２０５  表示インターフェイス、２０６，３０５，７１３  ディスプレイ、２０７  操作インターフェイス、２０９，３０６  入力デバイス、２９１  ケア支援サービス管理部、２９２  質問・回答管理部、２９３  タイミング判定部、３００，３００Ａ，３００Ｂ  携帯端末、３２０，７２０  内部メモリー、３９１  ケア支援ＵＩ部、３９２  位置センサー、４００  クラウドサーバー、５００，５００Ａ，５００Ｂ  ケアコール子機、５０１  ケアコールボタン、５１０，５１０Ａ，５１０Ｂ  ドアセンサー、５２０，５２０Ａ，５２０Ｂ  トイレセンサー、５３０，５３０Ａ，５３０Ｂ  センサー、５４０，５４０Ａ，５４０Ｂ  バイタルセンサー、７００，７００Ａ，７００Ｂ  対話端末、７１１  スピーカー、７１２  マイク、７９１  質問ＵＩ部、７９２  回答ＵＩ部、８００，８００Ａ，８００Ｂ，Ａ，Ｂ  入居者、９００，９００Ａ，９００Ｂ  居室、９０１，９０１Ａ，９０１Ｂ  ベッド、９０２，９０２Ａ，９０２Ｂ  トイレ。
【図１】
2020075674.tif 000003
【図２】
2020075674.tif 000004
【図３】
2020075674.tif 000005
【図４】
2020075674.tif 000006
【図５】
2020075674.tif 000007
【図６】
2020075674.tif 000008
【図７】
2020075674.tif 000009
【図８】
2020075674.tif 000010
【図９】
2020075674.tif 000011
【図１０】
2020075674.tif 000012
【図１１】
2020075674.tif 000013
【図１２】
2020075674.tif 000014
【図１３】
2020075674.tif 000015
【国際調査報告】
2020075674.tif 000016
2020075674.tif 000017
2020075674.tif 000018
2020075674.tif 000019